(57)【特許請求の範囲】
【請求項１】
磁気コードを有する券類の発行方法において、
磁気記録シートに対して、その長さ方向に沿って伸びるプリエンコードトラックにプリエンコードデータを記録したのちロール状に巻いてロール状磁気記録シートとする工程と、
前記ロール状磁気記録シートを発券機にセットし、発券要求がなされたときに、前記ロール状磁気記録シートを所望の券類に対応する寸法の枚葉にカットし、ついで、前記磁気記録シートのプリエンコードトラックに記録されているプリエンコードデータが、あらかじめ定められたデータと一致するかどうかの照合を行う工程と、
前記照合の結果、前記プリエンコードデータが真正なものであることが確認された後に、前記磁気記録シートに、必要な磁気情報をエンコードデータとしてすでに形成されているプリエンコードトラックに重なる位置に書込み、エンコードトラックを形成する工程と、
を備えていることを特徴とする券類の発行方法。
【請求項２】
前記プリエンコードトラックに連続して形成されるプリエンコードのデータ単位が、前記発券機内における前記枚葉移動方向に関する前記券類の長さの１／２未満である請求項１に記載の方法。
【請求項３】
前記エンコードトラックの幅が、前記プリエンコードトラックの幅よりも広い請求項１又は２に記載の方法。
【発明の詳細な説明】
【０００１】
【発明の属する技術分野】
本発明は、磁気コードを有する券類、たとえば自動券売機から発行される切符類、あるいはプリペイドカードのような磁気カード類を含む種々の券類を発行する装置、およびこの装置で使用されるロール状磁気記録シートに関する。
【０００２】
【従来の技術】
磁気コードを有する券類（以下「券類」という）は、下記の２つの方式のいずれかで発行されている。
（１）プリバリュー方式
生カード→エンコード→販売
（２）オンバリュー方式
生カード（ロール）→エンコード・販売
具体的には、上記（１）のプリバリュー方式は、テレホンカードのようなプリペイドカードの発行に適用されている。また（２）のオンバリュー方式は、乗車券のような券類の発行に広く適用されている。
【０００３】
ここで生カードとは、基材に磁気記録層を設け、さらに必要に応じて用途、使用形態に対応した印刷等を施したものを意味する。この生カードは、磁気記録層に所定の磁気情報の書込み、すなわちエンコードされることにより所定の価値を付与され、所定の目的に使用される。またロール状の形態のものは、通常、磁気記録が行われる前に所定の寸法にカットされる。
【０００４】
図３は、オンバリュー方式にしたがって切符を発行するのに適用されている従来のロール状磁気記録シート１１を示してる。この磁気記録シート１１は、紙あるいはプラスチックの基材の一方の面に磁気記録層を、他方の面にロイコタイプの感熱記録層をそれぞれ設けたもので、磁気記録層が外側になるようにロール１２状に巻かれている。このロール１２は、券売機にセットされ、所定の発券要求が与えられたときに、一般に「エドモンソン券」と呼ばれている切符の場合には、３０ｍｍ×５７．５ｍｍのサイズにカットされ、カットの前または後に、磁気記録層に所定の磁気情報が付与された後、切符１３として排出される。
【０００５】
【発明が解決しようとする課題】
上記（１）のプリバリュー方式では、使用される媒体がすでに所定の寸法に細断されたカードの形態をなしており、このカードに対して発行前に予め正式なエンコードがなされて販売者に供給され、販売されている。したがってエンコードが行われる場所が限られていれば、少数のエンコーダを厳重に管理することで、エンコードされていない生カードからの偽造に対しては安全性を確保しやすいということができるが、販売前、すなわち販売者に供給される前の段階ですでに使用可能であり、このためエンコード段階から販売段階までの間の流通段階でのカードの盗難に関しては管理を非常に厳重にする必要がある。
【０００６】
一方、（２）のオンバリュー方式は、きわめて多数の券売機において、生カードに対して発券時に価値情報を含む正式なエンコードを行って発行するものであるために、多数の発券機、すなわちエンコーダを厳重に管理する必要があり、その上、生カードは何らの記録もなされていない磁気記録層をもつだけなので、偽造されやすく、そのため価値情報が記録された使用可能なカードが偽造されてしまう危険性がきわめて高い。
【０００７】
またロール状磁気記録シートに対する一種のプリエンコード的な効果を持たせるものとして、磁気記録層塗工時に磁気記録層の一部の配向状態（磁化容易方向や配向性など）を異ならせることで残留磁化量を変化させた領域を形成した、いわゆる磁気的な透かしを入れる方法（ウォーターマークなど）が提案されている。この方法は、磁気的な書換えができない永久的な磁気記録として、セキュリティデータの記録に利用できる効果的な偽造防止方法の１つである。しかしながら、磁気記録層の塗工時に磁気的な透かしを精度良く形成するために、塗工速度を半分以下にする必要があり、ロール状磁気記録シートの大幅なコストアップが避けられない。
【０００８】
ロール状磁気記録シートは、基紙に磁気記録層や感熱層などを塗工して作製した磁気原反に印刷した後、所望の幅にスリット加工してボビンに巻き取って製造する。したがって、基材が紙であるロール状磁気記録シートを用いたカード（切符など）はプラスチック（ＰＥＴや塩化ビニルなど）を基材とするカードと比較して耐久性が劣り、何度も用いることができないため、低価格であることが採用するための必須条件となっている。このため、価格の上昇を伴うプリエンコード技術を開発し実施することが検討されたことが無かった。また、通常プリエンコードは既にカットされた枚葉のカードについて行うのが一般的である。
【０００９】
【課題を解決するための手段】
本発明の目的は、セキュリティ性の低いオンバリュー方式での券類の発行方法を改良し、さらにプリバリュー方式がもつような欠点もない、高いセキュリティ性を保持できるようにした券類の発行方法を提供することである。
【００１０】
本発明の他の目的は、上記の券類の発行方法に使用されるロール状磁気シートを提供することである。
【００１１】
本発明の券類の発行方法は、
磁気記録シートに対して、その長さ方向に沿って伸びるプリエンコードトラックにプリエンコードデータを記録したのちロール状に巻いてロール状磁気記録シートとする工程と、
前記ロール状磁気記録シートを発券機にセットし、発券要求がなされたときに、前記ロール状磁気記録シートを所望の券類に対応する寸法の枚葉にカットし、ついで、前記磁気記録シートのプリエンコードトラックに記録されているプリエンコードデータが、あらかじめ定められたデータと一致するかどうかの照合を行う工程と、
前記照合の結果、前記プリエンコードデータが真正なものであることが確認された後に、前記磁気記録シートに、必要な磁気情報をエンコードデータとしてすでに形成されているプリエンコードトラックに重なる位置に書込み、エンコードトラックを形成する工程と、
を備えていることを特徴とする。
【００１２】
すなわちエンコーダ（発券機）は、発券時にカットされた枚葉の券類から、これにプリエンコードされているデータを読取り、このデータを正しいと判断したときのみ書込み動作を行い、エンコードして発券する。
【００１３】
このような本発明の券類の発行方法によれば、製造されたままの、磁気的な処理を全く受けていないロール状磁気記録シート（以下「生ロール」という）に対してプリエンコードが行われ、また正式なプリエンコードがなされている生ロールに対してのみ、エンコーダでエンコードして価値情報を付与することができる。逆にいえば、正式なプリエンコードがなされていない生ロールに対してエンコーダでエンコードすることができないようにプロテクトされている。一般に生カードに対するプリエンコードと、価値情報を付与するエンコードとは互いに別個の主体によって行われ、また使用される装置も全く異なった構成のものである。したがって、プリエンコーダおよびエンコーダ（券売機等の端末機器）の両方を入手するか、あるいは生カードを何らかの手段で入手し、かつプリエンコードフォーマットやエンコードフォーマットを解析できない限り、券類を偽造することはできないため、ロール状磁気記録シートを用いたランニングコストの低い券類発行システムのセキュリティ性を大幅に向上させることができる。
【００１４】
【発明の実施の形態】
以下、本発明の概要を図面を参照して説明する。
【００１５】
図１は、本発明にしたがって行われる券類の発行過程を示している。図１に示した原反とは、紙あるいはプラスチック等の任意の材質からなる基材に、その少なくとも一方の表面において磁気記録層を設けた磁気記録シートを意味する。この原反に、ステップＳ１において、地紋あるいは文字等の必要な印刷が施され、つぎのステップＳ２において、所定の幅にスリットされる。この幅は、前述の図３に示したエドモンソン券の場合には３０ｍｍである。次のステップＳ３において、この所定の幅にスリットされた磁気記録シートに対して、その長さ方向に沿って伸びるプリエンコードトラックにおいてプリエンコードが行われたのち、ロール状に巻かれてロール状磁気記録シートとなる。ここまでの処理が、磁気記録シートの製造ステップであり、ここに得られたロール状磁気記録シートが、所定の流通経路にしたがって、多数の発券機管理者に配布される。
【００１６】
なお、ステップ３のプリエンコードは、図１に示した他に、基材上に磁気塗料の塗布・乾燥を行って磁気記録層を形成して原反を作製し、それを巻き取る段階、原反に印刷を施す前、または原反に印刷を施し、所定の幅にスリットをする前の何れの段階において行ってもよく、何れの場合もプリエンコードデータが記録されたロール状磁気記録シートが得られる。
【００１７】
このロール状磁気記録シートは、発券機管理者側において、この発券機にセットされ、発券要求がなされたときに、通常の発券手順にしたがった処理が行われる。具体的には、ロール状磁気記録シートは、まずステップＳ４において、所望の券類に対応する寸法の枚葉にカットされ、ついで、磁気記録シートのプリエンコードトラックに記録されているプリエンコードデータが、あらかじめ定められたデータと一致するかどうかの照合が行われる（ステップＳ５）。この照合の結果、プリエンコードデータが真正なものであることが確認されると、ここではじめて枚葉の磁気記録シートに、通常の券類に付与されるものと同様の磁気情報がエンコードトラックとして書込まれる（ステップＳ６）。つぎのステップＳ７において、エンコードトラックにエンコードデータが書込まれているかどうかのチェックが行われたのち、正規の券類として発行される（ステップＳ８）。
【００１８】
ステップＳ３のプリエンコードにより形成されるプリエンコードトラック、およびステップＳ６のエンコードにより形成されるエンコードトラックは、すでに形成されているプリエンコードトラックと重なる位置に設けられ、好ましくは、その幅がプリエンコードトラックよりも広い幅に設定される。エンコードトラックをプリエンコードトラックと重なる位置に設けることにより、発券時に形成されたエンコードトラックが、その前に存在していたプリエンコードトラックの少なくとも一部を書換えることになり、発行された券類からプリエンコード情報を読み取ることが著しく困難になる。さらにプリエンコードトラックの幅をエンコードトラックよりも狭い幅に設定した場合には、プリエンコードトラックは完全に書換えられることになり、読取りが不可能になってセキュリティ性がさらに高められる。
【００１９】
プリエンコードトラックは、発券時に券売機内で磁気記録シートが走行する方向と平行に形成されるが、一連のプリエンコードデータで構成されるプリエンコード単位長さは、磁気記録シートをカットして枚葉とした時の、磁気記録シートの走行方向における長さの１／２未満であることが好ましい。この場合には、磁気記録シートを所定の長さの枚葉にカットしたときに、各枚葉の途中でプリエンコードデータが切れてしまうということがなく、すべての枚葉に少なくとも１つのプリエンコード単位が存在することになる。
【００２０】
たとえば、図２に示すように、磁気記録シート１に形成されるエンコードトラック２は、すでに形成されているプリエンコードトラックと重なる位置に設けられ、その幅は、プリエンコードトラックの幅よりも広い。またプリエンコードトラックに連続して形成されている個々のプリエンコードデータ単位（符号a,b,c…で示す）は、その長さが枚葉のカット寸法の１／２未満に設定されている場合には、カットがどの位置で行われても、各枚葉には少なくとも１つのプリエンコードデータ単位が完全な形で含まれることになる。
【００２１】
プリエンコードデータの形態にとくに制限はないが、データ単位が各枚葉の１／２未満の長さであっても、偽造等の不正防止に必要かつ十分なデータ量を記録することが可能である。たとえば磁気切符（エドモンソン券）の場合では、発券機内での磁気記録シートの走行方向における長さが５７．５ｍｍであるので、プリエンコードトラックの長さをその約１／２とすると、約２８ｍｍになる。一般的なＦ２Ｆ記録方式で５２．５ＢＰＩの記録密度で記録したとすると、この長さのプリエンコードトラック内に、制御データ（タイミング、スタート、エンドデータなど）を含めて約５９ビット（約７バイト）のデータを書込むことができる。スタートとエンドデータに１バイトずつ使った場合には、二進化十進符合で１０桁の数値、つまり１０億通りの数値が表現できるデータ量に相当する。このデータを暗号化すればプリエンコードした磁気記録シートが盗難にあっても、それからのデータフォーマットの解析をさらに困難にすることができる。
【００２２】
【発明の効果】
以上に説明したように本発明によれば、ロール状磁気記録シートにプリエンコードしておくことで、発券時にロール状磁気記録シートを所定のサイズにカットして磁気コードを有する券類（磁気切符など）を発行する際に行われるエンコードとの組合わせにより、券類の偽造や変造を困難にし、流通段階でのセキュリティを格段に向上させることが可能になる。
【図面の簡単な説明】
【図１】本発明の券類の発行方法をしめすフロー図。
【図２】本発明の券類の発行方法において磁気記録シートに形成されるプリエンコードトラックの形態を示す説明図。
【図３】通常のロール状磁気記録シートを示す斜視図。
【符号の説明】
１    磁気記録シート
２    プリエンコードトラック
【図１】
0003744589.tif 000002
【図２】
0003744589.tif 000003
【図３】
0003744589.tif 000004